(57)【要約】【課題】実際の読み取り面に付着したゴミ、塵埃などの異物を容易に除去することができる画像読取装置を提供する。【解決手段】画像読取装置では、プラテンニップ部の圧板側に設けられた読み取り時の白基準である白色部材１０３が振動体となる。画像読取装置は、読み取り位置の光路上に配置された白色部材１０３自体を振動させることで、これとプラテンニップ部を介して接触している原稿台ガラス４０７を直接振動させ、ゴミ、塵埃など異物の付着力を低減させて異物を飛散させる。さらに、画像読取装置は、飛散した異物を原稿１０１の先端で確実に掻き出す。【選択図】図４
2011066616.tif 000002
【特許請求の範囲】
【請求項１】
原稿搬送手段により透明部材とガイド部材の間を搬送される原稿の画像を、前記透明部材を介して読取手段により読み取る画像読取装置において、
前記ガイド部材が前記透明部材に接触するように前記ガイド部材を振動させる振動手段を有することを特徴とする画像読取装置。
【請求項２】
前記原稿搬送手段によって複数枚の原稿が連続して前記透明部材に搬送される場合、前記透明部材に搬送される先行の原稿と後続の原稿の搬送の合間に、前記ガイド部材を前記振動手段により振動させる制御手段を備えたことを特徴とする請求項１記載の画像読取装置。
【請求項３】
前記透明部材上に異物があるか否かを判別する判別手段と、
前記判別手段によって異物があると判別された場合、前記ガイド部材を前記振動手段により振動させる制御手段とを備えたことを特徴とする請求項１記載の画像読取装置。
【請求項４】
前記ガイド部材は、白基準となる白色部材であることを特徴とする請求項１記載の画像読取装置。
【請求項５】
前記ガイド部材は、前記ガイド部材の一部としてシム材を有することを特徴とする請求項１記載の画像読取装置。
【請求項６】
前記透明部材には、光触媒性物質による皮膜が施されたことを特徴とする請求項１記載の画像読取装置。
【請求項７】
前記光触媒性物質は、酸化チタン、または酸化チタンを含む複合酸化物であることを特徴とする請求項６記載の画像読取装置。
【請求項８】
前記読取手段は、前記原稿を照射する光源と、前記照射された原稿からの反射光を画像として生成する撮像手段とを備え、
前記光源は、前記光触媒性物質の触媒反応を進行させる波長域の光源を有することを特徴とする請求項６記載の画像読取装置。
【請求項９】
原稿の画像を透明部材を介して読み取る読取手段を有する画像読取装置に設けられ、前記原稿を前記透明部材とガイド部材の間に搬送する原稿搬送装置であって、
前記ガイド部材が前記透明部材に接触するように前記ガイド部材を振動させる振動手段を有することを特徴とする原稿搬送装置。
【発明の詳細な説明】
【技術分野】
【０００１】
本発明は、透明部材に搬送された原稿の画像を読み取る画像読取装置および原稿搬送装置に関する。
【背景技術】
【０００２】
従来、画像読取装置は、自動原稿搬送装置により搬送された原稿を原稿台ガラス上に載置し、読取用の光学系を所定方向に走査することで、原稿画像を読み取っていた。この読み取り方式はいわゆる固定読み方式である。
【０００３】
また、読取用の光学系を固定し、自動原稿搬送装置で原稿を搬送中に原稿画像を読み取る、いわゆる流し読み方式が知られている。しかし、原稿台ガラス上のプラテンニップ部に外部からゴミが進入した場合、つぎのような問題があった。光学系が固定されているので、画像読取装置は同じゴミを読み続けることになる。この結果、ゴミによってあたかも直線であるかのような画像が読み取られ、異常画像としてそのまま処理されていた。
【０００４】
また、原稿台ガラスの外面上に利用者が直接手を触れて皮脂等で汚して曇らせた場合、読取画像の鮮明度が低下する。また、原稿台ガラスの外面は、煙草のヤニ、黴（カビ）等の有機化合物で汚れることが多い。このため、使用者が清掃することにより異物を取り除いていた。
【０００５】
従来、人手によらず、異物を取り除く方法として、特許文献１には、つぎのような画像読取装置が示されている。画像読取装置は自動原稿送り装置およびリーダ部から構成される。この画像読取装置は、自動原稿送り装置の原稿搬送路とスキャナユニットの間に、原稿台ガラスとは別に、原稿の画像を透過するように配置された透過部材（ＡＤＦ原稿用プラテンガラス）を備える。さらに、画像読取装置は、透過部材に振動を与えるための振動発生部（圧電振動子）と、振動発生部を駆動するための駆動部を備え、画像読取装置に対する所定の指示または所定の動作に応じて振動発生部を駆動することで、ゴミを移動させる。
【０００６】
また、特許文献２には、つぎのような画像読取装置が示されている。この画像読取装置は、透過部材（プラテンガラス）に結合された１つもしくは複数の電気機械変換素子（振動体）、および電極を介して、電気機械変換素子に高周波電圧を印加する電圧供給部を有する。さらに、画像読取装置は、１つもしくは複数の電気機械変換素子と電圧供給部によって、透過部材に振動を励振させる制御部を有する。
【先行技術文献】
【特許文献】
【０００７】
【特許文献１】特開２００３−２８０１１０号公報
【特許文献２】特開２００４−１２４７４号公報
【発明の概要】
【発明が解決しようとする課題】
【０００８】
しかしながら、上記従来の画像読取装置には、つぎのような問題があった。すなわち、プラテンガラスなどの透過部材に振動を与える振動体は、読み取り時の光路を遮断しないように、読み取り部のプラテンニップ部から外れた主走査方向の端部に設けられていた。
【０００９】
また、振動体は、ゴミが付着した面とは逆の面である裏側を振動させていたので、実際の読み取り面であるプラテンニップ部の表面を直接に振動させることができなかった。従って、振動によるゴミ除去は限定され不十分であった。
【００１０】
そこで、本発明は、実際の読み取り面に付着したゴミ、塵埃などの異物を容易に除去することができる画像読取装置および原稿搬送装置を提供することを目的とする。
【課題を解決するための手段】
【００１１】
上記目的を達成するために、本発明の画像読取装置は、原稿搬送手段により透明部材とガイド部材の間を搬送される原稿の画像を、前記透明部材を介して読取手段により読み取る画像読取装置において、前記ガイド部材が前記透明部材に接触するように前記ガイド部材を振動させる振動手段を有することを特徴とする。
【発明の効果】
【００１２】
本発明の請求項１に係る画像読取装置によれば、ガイド部材が透明部材に接触するようにガイド部材を振動させる振動手段を有するので、透明部材に付着したゴミ、塵埃などの異物を容易に除去することができる。
【００１３】
請求項２に係る画像読取装置によれば、透明部材に搬送される先行の原稿と後続の原稿との合間に振動体を振動させるので、原稿の読み取り生産性を低下させることなく、異物の除去が可能となる。
【００１４】
請求項３に係る画像読取装置によれば、異物があると判別された場合、振動体を振動させるので、不必要に振動体を振動させないで済む。
【００１５】
請求項４に係る画像読取装置によれば、ガイド部材を白色部材とするので、別の部材として設けることなく、省スペースが図られ、部品点数の増加を抑えることができる。
【００１６】
請求項５に係る画像読取装置によれば、ガイド部材の一部としてシム材を用いるので、透明部材の表面を傷つけることなく振動させることができる。
【００１７】
請求項６乃至８に係る画像読取装置によれば、光触媒作用により、透明部材上の有機物系の汚れを除去する、あるいはその付着力を低減させることができる。
【図面の簡単な説明】
【００１８】
【図１】実施の形態における画像読取装置の内部構成を示す断面図である。
【図２】画像読取装置の電気的構成を示すブロック図である。
【図３】画像読取装置の読み取り位置近傍の構成を示す図である。
【図４】白色部材１０３の内部構成を示す図である。
【図５】読み取り動作以外のスタンバイ状態と原稿搬送中における白色部材１０３の状態を示す図である。
【図６】読み取り動作時における白色部材１０３の状態を示す図である。
【図７】通常動作における原稿搬送動作手順を示すフローチャートである。
【図８】図７につづく通常動作における原稿搬送動作手順を示すフローチャートである。
【図９】ゴミ検知時の回避動作における原稿搬送動作手順を示すフローチャートである。
【発明を実施するための形態】
【００１９】
本発明の画像読取装置および原稿搬送装置の実施の形態について図面を参照しながら説明する。図１は実施の形態における画像読取装置の内部構成を示す断面図である。画像読取装置５０は、主に原稿搬送装置６０および画像読取部７０から構成される。画像読取装置５０は、複数枚の原稿１０１を載置する積載トレイ１、および原稿束の最上面の原稿を機内に送り込むピックアップローラ２を有する。給送動作が開始すると、画像読取装置５０は、ピックアップローラ２を降下させる。ピックアップローラ２によって給送された原稿は、フィードローラ４とリタードローラ５によって、１枚ずつ分離される。
【００２０】
分離された原稿１０１は、引抜ローラ６および搬送ローラ１３を経て搬送される。搬送ローラ１３を通過した原稿は、下流に搬送され、レジストローラ１５に突き当てられる。レジストローラ１５によって原稿にループが形成され、原稿の先端部の斜行が解消される。レジストローラ１５を通過した原稿は、上流側の搬送ローラ４０５を経て、白色部材１０３に送られ、原稿台ガラス４０７上（透明部材上）を搬送される。
【００２１】
白色部材１０３は、搬送経路内の読み取り位置に配置され、原稿台ガラス４０７と対向し、搬送される原稿を原稿台ガラス４０７に押圧するガイド部材としての機能も有する。原稿台ガラス４０７の内側には、ガイドシャフト４１０によって水平方向に移動自在な読み取りデバイス１０２が設けられている。読み取りデバイス１０２は、原稿台ガラス４０７を挟んで白色部材１０３と対向する読み取り位置において、搬送される原稿の画像を読み取る。白色部材１０３を経た原稿は、下流側の搬送ローラ４０５を通過する。下流側の搬送ローラ４０５により給送された原稿は、排紙ローラ２４により、原稿排紙トレイ２５に排出される。
【００２２】
また、画像読取装置は、原稿読取前に白色部材１０３を読み取りデバイス１０２で読み取ることにより、シェーディングによる表面画像の白レベルの基準データを作成する。また、積載トレイ１には、原稿の有無を検知する原稿サイズ検知部４１３が設けられている。
【００２３】
図２は画像読取装置の電気的構成を示すブロック図である。図において、読み取りデバイス（ラインイメージセンサ）１０２は、画像読取装置にセットされたシート状の原稿１０１の画像を読み取るＣＩＳ（コンタクトイメージセンサ）などを有する。白色部材１０３は、ラインイメージセンサ１０２と対向する面に配置され、読み取り時の白基準となるものであり、本実施形態では、振動を発生させる振動体としての機能を有する。
【００２４】
自動原稿搬送部（ＡＤＦ）１０４は、搬送モータ１１２を駆動し、シート状の原稿１０１を連続的に搬送する。移動部１０５は、ラインイメージセンサ１０２を副走査方向に水平移動させる。読み取り制御部１０６は、システムバス１２１に接続され、画像読取装置全体を制御する。また、読み取り制御部１０６は、白色部材１０３に駆動信号を送出し、白色部材１０３を振動させる。
【００２５】
画像メモリ１０７は、ラインイメージセンサ１０２から出力された画情報をページ単位で蓄積する。画像バッファ１０８は、ＦＩＦＯから構成され、画像入力部１１６から出力された画像を一旦蓄積する。
【００２６】
ＣＰＵ１０９は、読み取り制御部１０６を含む画像読取装置全体を制御する。ＲＯＭ１１０には、ＣＰＵ１０９によって実行されるプログラムが格納されている。ＲＡＭ１１１はＣＰＵ１０９によってアクセスされる。搬送モータ１１２は、複数の搬送ローラを駆動し、シート状の原稿１０１を連続的に搬送する。移動モータ１１３は、ガイドシャフト４１０を駆動し、ラインイメージセンサ１０２を副走査方向に連続的に水平移動させる。
【００２７】
シェーディング板１１４は、画像読取装置の白基準とシェーディング補正値を決めるために用いられる。操作部１１５は、画像読取装置の操作・表示を行うものであり、読み取りスタートなどの起動ボタン（スタートボタン）を備える。画像入力部１１６は、ラインイメージセンサ１０２から出力された画情報を入力する。
【００２８】
図３は画像読取装置の読み取り位置近傍の構成を示す図である。上流側および下流側の搬送ローラ４０５は原稿１０１を搬送する。原稿台ガラス４０７は、ブックタイプの原稿を搭載することも可能であり、読み取りデバイス１０２と原稿１０１の間に挟まれる。
【００２９】
搬送モータ１１２は、上流側および下流側の搬送ローラ４０５を駆動して回転させる。移動モータ１１３は、ガイドシャフト４１０により読み取りデバイス１０２を副走査方向に水平移動させる。ガイドシャフト４１０は、移動モータ１１３の回転運動を直進運動に変換する。
【００３０】
ホームポジション４１１は、シェーディング板１１４を読み取る際の読み取りデバイス１０２の位置を示す。読み取り位置４１２は、読み取りデバイス１０２が移動可能なポジション、つまり移動可能なステップ位置における、実際の読み取り位置を示す。
【００３１】
原稿サイズ検知部４１３は、前述したように、積載トレイ１に設けられており、原稿１０１を検知するフォトインタラプタから構成される。本実施形態の場合、原稿はＡ４サイズに固定の原稿である。従って、この原稿サイズ検知部４１３は、フォトインタラプタによって、原稿の「有り・無し」を検知するだけである。
【００３２】
ユーザが画像読取装置に原稿１０１をセットし、操作部１１５のスタートボタンを押下すると、読み取り制御部１０６は、スタートボタンが押されたことを検知する。
【００３３】
読み取り制御部１０６は、原稿搬送部１０４に対して読み取り動作の開始指示を出す。原稿搬送部１０４は、予定のパルス数を設定して搬送モータ１１２を回転させ、原稿１０１の搬送を開始する。これにより、実際の画像読み取り動作が開始する。
【００３４】
読み取りデバイス１０２は、その内部にＬＥＤアレイ（光源）、ロッドレンズアレイ、フォトセンサアレイ（撮像手段）、およびフォトセンサからの出力信号を転送する回路を含む。読み取りデバイス１０２は、ＬＥＤアレイによって原稿１０１の画像面を照射し、原稿１０１の濃度差に対応する反射光をロッドレンズアレイによってフォトセンサアレイに集光し、画像として生成する。読み取りデバイス１０２は、フォトセンサアレイから出力された画像信号を画像入力部１１６に、シリアルデータとして転送する。
【００３５】
画像入力部１１６は、この画像信号を、画像バッファ１０８に画像データ１ライン分のシリアルデータとして出力する。画像バッファ１０８は、この画像信号を、システムバス１２１を介して、画像メモリ１０７に随時格納する。その後、原稿１０１が読み取りデバイス１０２を通過して排出されると、原稿搬送部１０４は搬送モータ１１２を停止させる。これにより、１ページの原稿読み取り動作が完了する。読み取られた画像は、最終的に画像メモリ１０７にページ単位で蓄積される。
【００３６】
本実施形態では、読み取り部のプラテンニップ部に、ゴミ、塵埃などの異物が入り込んだ場合、読み取り制御部１０６は、駆動信号を出力し、白色部材１０３を振動させる。なお、白色部材１０３は、白色部材１０３に振動体を接合して構成されたものでもよいし、白色部材１０３自身が振動体となって振動するように構成されたものでもよい。
【００３７】
また、通常の画像読み取り動作では、画像読取装置に原稿１０１がセットされると、原稿サイズ検知部４１３によって原稿の有無が検知される。本実施形態では、前述したように、原稿のサイズはＡ４サイズ固定である。
【００３８】
原稿１０１が検知されると、読み取りデバイス１０２は、ホームポジション４１１から実際に読み取り動作を開始する際の読み取り位置４１２に移動する。この移動に際し、移動モータ１１３が所定のパルス数だけ回転し、ガイドシャフト４１０はモータの回転運動を直進運動に変換する。この結果、読み取りデバイス１０２は、設定された読み取り位置４１２に移動する。なお、読み取りデバイス１０２が既に読み取り位置４１２にある場合、移動モータ１１３は回転せず、読み取りデバイス１０２を移動させない。
【００３９】
そして、搬送モータ１１２を回転させて上流側の搬送ローラ４０５を回転させ、原稿１０１を読み取りデバイス１０２の位置まで搬送させてから、画像読み取り動作が開始する。このとき、読み取りデバイス１０２は、白色部材１０３と対向する位置に配置される。
【００４０】
また、副走査方向においては、ガイドシャフト４１０を介して、移動モータ１１３の回転駆動力を直進駆動力に変換することで、読み取りデバイス１０２は移動可能である。なお、本実施形態では、読み取りデバイス１０２のホームポジション４１１は、白色部材１０３と対面する、原稿１０１の搬入部に近い位置である。
【００４１】
読み取り動作を行いながら、原稿１０１が上流側および下流側の搬送ローラ４０５により搬送され、読み取りデバイス１０２の位置を通過して排紙されると、搬送モータ１１２を停止させ、１ページの原稿読み取り動作が完了する。そして、読み取りデバイス１０２は、移動モータ１１３により再びホームポジション４１１に戻される。
【００４２】
つぎに、ゴミ、塵埃などの異物による画像への影響がある場合の画像読み取り動作を示す。上流側の搬送ローラ４０５により送り出された原稿１０１は、光触媒塗装５１５が施された原稿台ガラス４０７の上をこするように密着しながら搬送される。この時、読み取りデバイス１０２は、原稿１０１の画情報を読み取る。このとき、光路上にゴミなど異物があると、読取画像は異物があたかも直線であるかのような異常画像として処理される。
【００４３】
そこで、本実施形態では、光路上の異物を確実に取り除くために、原稿台ガラス４０７上の有機物系の汚れについては、読み取りデバイス１０２の光源からの照射により光触媒作用を促進し、汚れを分解して除去する、あるいはその付着力を低減させる。前述したように、本実施形態では、光触媒塗装５１５として、原稿台ガラス４０７の表（おもて）面には、光触媒性物質による皮膜が施されている。光触媒性物質として、酸化チタン、あるいは酸化チタンを含む複合酸化物が挙げられる。また、光源は、光触媒性物質の触媒反応を進行させる波長域の光源を有する。
【００４４】
また、原稿台ガラス４０７および白色部材１０３上の無機物系の汚れについては、白色部材１０３が原稿台ガラス４０７に接触するように白色部材１０３を振動させることにより、汚れの付着力を低減させる。
【００４５】
最後に、原稿１０１の読み取り搬送時に、その先端を原稿台ガラス４０７に密着させることにより、飛散した異物を読み取り面から掻き出すように取り除く。
【００４６】
ここで、振動させる部位としては、原稿台ガラス４０７に限定せず、光路上のシェーディング板１１４を含むようにしてもよい。また、白色部材１０３の白色基準部５２１としては、光路上のニップ部の部位に白塗装されたものでもよいし、貼り付けられた白テープなどであってもよい。
【００４７】
図４は白色部材１０３の内部構成を示す図である。白色部材１０３は、前述したように、原稿台ガラス４０７を介してラインイメージセンサ１０２と対向する面に配置され、読み取り時の白基準となる白色部材である。本実施形態では、白色部材１０３は、振動体としての機能、および原稿を原稿台ガラス４０７に押圧するガイド部材としての機能を有する。
【００４８】
白色部材１０３は、圧電セラミック５０３、弾性板である金属シム材５１６、第１の電極５１７、第２の電極５１８および白色基準部５２１から構成される。圧電セラミック５０３は、電圧を印加すると歪むという性質を有する固体変位素子である。第１の電極５１７は、圧電セラミック５０３に設けられている。第２の電極５１８は、シム材５１６に設けられている。第１の電極５１７および第２の電極５１８のいずれも、蒸着法、スパッタ法、メッキ法、金属（銀、銀−パラジウム、プラチナ）ペースト法などにより形成されている。
【００４９】
第１の電極５１７および第２の電極５１８の両端に、正逆の電圧を連続繰り返し印加することで、シム材５１６を振動させることが可能である。白色基準部５２１は、画像読取装置の白基準となるように定められた白色を有するものであり、前述したように、白テープを貼り付けたものでもよい。
【００５０】
なお、図中、第１基準点５１９は、上流側の搬送ローラ４０５により送り出され、原稿台ガラス４０７に到達した時の原稿１０１の先端の位置に相当する。第２基準点５２０は、同様に、原稿の読み取りが完了した時の原稿１０１の後端の位置に相当する。
【００５１】
白色部材１０３は、１８０度に折り曲げられた金属シム材５１６の片方を圧電セラミック５０３で挟み込んだバイモルフ構造を有する。第１の電極５１７と第２の電極５１８の間に、双方向の繰り返し電圧を印加することで、金属シム材５１６は振動する。白色部材１０３は、白色基準部５２１の光路上に付着した異物の付着力を振動により低減させ、異物を飛散させることが可能である。
【００５２】
さらに、白色部材１０３が原稿台ガラス４０７に接触するように振動することによって原稿台ガラス４０７も同時に振動させ、同様に、光路上に付着した異物の付着力を低減させ、異物を飛散させることが可能である。ここで、金属シム材５１６の折り曲げ側を、原稿１０１の挿入方向とすることで、上流側の搬送ローラ４０５によって搬送された原稿１０１を案内（ガイド）し、さらに、原稿１０１を原稿台ガラス４０７に押さえ込む、ガイド部材として機能することが可能となる。
【００５３】
図５は読み取り動作以外のスタンバイ状態と原稿搬送中における白色部材１０３の状態を示す図である。この状態では、第１の電極５１７と第２の電極５１８を介して、シム材５１６と圧電セラミック５０３の間に、シム材５１６が上方向に、つまり圧電セラミック５０３が上の方向に歪むように、マイナス（−）電圧が印加されている。
【００５４】
図６は読み取り動作時における白色部材１０３の状態を示す図である。この状態では、第１の電極５１７と第２の電極５１８を介して、シム材５１６と圧電セラミック５０３の間に、プラス（＋）の電圧が印加されている。
【００５５】
つぎに、上記構成を有する画像読取装置の原稿搬送動作を示す。始めに、通常動作について説明する。図７および図８は通常動作における原稿搬送動作手順を示すフローチャートである。この処理プログラムは、ＲＯＭ１１０に格納されており、ＣＰＵ１０９によって実行される。
【００５６】
電源ＯＮ後、画像読取装置はスタンバイ状態に移行する（ステップＳ１）。スタンバイ時、画像読取装置は、第１の電極５１７と第２の電極５１８を介して、シム材５１６と圧電セラミック５０３の間に、シム材５１６が上方向に、つまり圧電セラミック５０３が上の方向に歪むように、マイナス（−）電圧を印加する（ステップＳ２）。これにより、図５に示すように、シム材５１６はガラス面から遠ざかる方向に移動する。
【００５７】
画像読取装置は、読み取り動作を行うために、積載トレイ１に原稿が有るか否かを検知し、原稿が無い場合、原稿が載置されるまで待つ（ステップＳ３）。
【００５８】
積載トレイに原稿１０１が有ると、画像読取装置は、原稿１０１の搬送を開始する（ステップＳ４）。原稿１０１の搬送が開始すると、画像読取装置は、シム材５１６と圧電セラミック５０３の間にプラス（＋）とマイナス（−）の電圧を交互に印加し、シム材５１６を振動させる（ステップＳ５）。このステップＳ５の処理は制御手段の一例である。これにより、画像読取装置は、白色部材１０３に付着したゴミなど異物の付着力を低減させ、異物を飛散させる。また同時に、画像読取装置は、接触している原稿台ガラス４０７を振動させることで、原稿台ガラス４０７に付着した異物の付着力も低減させ、異物を飛散させる。
【００５９】
画像読取装置は、原稿１０１の先端が第１基準点５１９を通過するまで待つ（ステップＳ６）。第１基準点５１９を通過していない場合、画像読取装置は、ステップＳ５の処理に戻る。
【００６０】
原稿１０１の先端が第１基準点５１９を通過した場合、画像読取装置は、図６に示すように、白色部材１０３の振動を停止させ、シム材５１６と圧電セラミック５０３の間にプラス（＋）の電圧を印加する（ステップＳ７）。すなわち、画像読取装置は、シム材５１６を原稿台ガラス４０７のプラテンニップ部に近づく方向に移動させ（接近させ）、原稿１０１の先端をガラス面に押さえ付ける。その状態で、原稿１０１は、原稿台ガラス４０７の上を密着しながら搬送される。この結果、画像読取装置は、先ほど飛散させた異物を、原稿１０１の先端で原稿の搬送方向に移動させ、確実に掻き出す。
【００６１】
画像読取装置は、原稿１０１の後端が第２基準点５２０を通過するまで待つ（ステップＳ８）。第２基準点５２０を通過していない場合、画像読取装置は、ステップＳ７の処理に戻る。
【００６２】
一方、第２基準点５２０を通過した場合、画像読取装置は、原稿１０１がプラテンニップ部から抜けたので、再び、シム材５１６と圧電セラミック５０３の間にプラス（＋）とマイナス（−）の電圧を交互に印加する（ステップＳ９）。これにより、画像読取装置は、シム材５１６を振動させ、白色部材１０３に付着した異物の付着力を低減させ、異物を飛散させる。また同時に、接触している原稿台ガラス４０７を振動させることで、原稿台ガラス４０７に付着した異物の付着力も低減させ、異物を飛散させる。
【００６３】
そして、画像読取装置は、積載トレイ１に載置された次の原稿１０１が有るか否かを判別する（ステップＳ１０）。次の原稿１０１が有る場合、画像読取装置は、ステップＳ４の処理に戻り、次の原稿の読み取り動作を繰り返す。
【００６４】
一方、次の原稿が無い場合、すなわち、原稿の最終ページが第２基準点５２０を通過した場合、画像読取装置は、読み取り動作が完了したので、シム材５１６と圧電セラミック５０３の間にマイナス（−）の電圧を印加する（ステップＳ１１）。これにより、画像読取装置は、シム材５１６をガラス面から遠ざかる方向に移動させる。この後、画像読取装置は、スタンバイ状態になり（ステップＳ１２）、本処理を終了する。
【００６５】
つぎに、ゴミ検知時の回避動作について説明する。図９はゴミ検知時の回避動作における原稿搬送動作手順を示すフローチャートである。この処理プログラムは、ＲＯＭ１１０に格納されており、ＣＰＵ１０９によって実行される。なお、ステップＳ１〜Ｓ８の処理は図７と同じであるので、その説明を省略する。また、図７と同一のステップ処理については同一のステップ番号を付す。
【００６６】
ステップＳ８で原稿１０１の後端が第２基準点５２０を通過し、原稿がプラテンニップ部から抜け、このページの画像読取り動作が完了した状態から説明する。この後、画像読取装置は、原稿１０１のページ間（先行の原稿と後続の原稿の合間）において、白色部材１０３の表面である白色基準部５２１を読み取り、ゴミ、塵埃などの異物が存在する否かを確認する（ステップＳ９Ａ）。
【００６７】
ゴミ、塵埃などの異物が存在しない場合、画像読取装置は、ステップＳ１０の処理に進む。ステップＳ１０以降の処理は、図８と同じであるので、その説明を省略する。
【００６８】
一方、ゴミ、塵埃などの異物の存在が確認されると、画像読取装置は、シム材５１６と圧電セラミック５０３の間に印加するプラス（＋）とマイナス（−）の電圧の値、あるいは振動周波数を変更する（ステップＳ１３）。なお、ステップＳ１１の処理では、画像読取装置は、プラス（＋）とマイナス（−）電圧の値（強度）および振動周波数の双方を変更するようにしてもよい。この変更される電圧の値（強度）や振動周波数は、所定の範囲内で徐々に変化するように設定されてもよいし、ゴミ、塵埃などの異物の状況、例えば、読み取られる異物の大きさ、種類などにより、予め決められた値に設定されてもよい。
【００６９】
そして、画像読取装置は、再びシム材５１６と圧電セラミック５０３の間に、プラス（＋）とマイナス（−）の電圧を交互に印加する（ステップＳ１４）。これにより、画像読取装置は、シム材５１６を振動させ、白色部材１０３に付着した異物の付着力を低減させ、異物を飛散させる。なお、ここでは、ゴミが付着する読み取り面として、白色基準部５２１を想定しているが、白色基準部５２１と対向する原稿台ガラス４０７にゴミが付着した場合であっても、同様に、振動によって異物を飛散させることが可能である。
【００７０】
この後、画像読取装置は、ステップＳ９Ａの処理に戻り、再び白色部材１０３の表面である白色基準部５２１を読み取り、ゴミ、塵埃などの異物が存在するか否かを確認する。このように、電圧あるいは周波数を変化させる動作は、ゴミ、塵埃などの異物がなくなるまで繰り返される。そして、ゴミ、塵埃などの異物がなくなると、画像読取装置は、ステップＳ１０の処理に進む。
【００７１】
画像読取装置は、次の原稿１０１が有るか否かを判別する（ステップＳ１０）。次の原稿１０１が有る場合、画像読取装置は、ステップＳ４の処理に戻り、次の原稿の読み取り動作を繰り返す。
【００７２】
一方、次の原稿が無い場合、すなわち、原稿の最終ページが第２基準点５２０を通過した場合、画像読取装置は、読み取り動作が完了したので、シム材５１６と圧電セラミック５０３の間にマイナス（−）の電圧を印加する（ステップＳ１１）。これにより、画像読取装置は、シム材５１６をガラス面から遠ざかる方向に移動させる。この後、画像読取装置は、スタンバイ状態になり（ステップＳ１２）、本処理を終了する。
【００７３】
このように、本実施形態の画像読取装置は、実際の読み取り面であるプラテンニップ部の圧板側（上側）に振動体を設け、読み取り面であるプラテンニップ部の表面を直接に振動させることにより、ゴミを除去する。具体的に、画像読取装置では、プラテンニップ部の圧板側に設けられた読み取り時の白基準である白色部材が振動体となる。画像読取装置は、光路上の読み取り位置に配置された白色部材自体を振動させることで、これとプラテンニップ部を介して接触している原稿台ガラスを直接振動させ、塵埃等の付着力を低減させて異物を飛散させる。さらに、画像読取装置は、飛散した異物を原稿の先端で確実に掻き出す。
【００７４】
また、振動体は、１８０度に折り曲げられた金属シム材の片方を圧電セラミック材で挟み込んだバイモルフ構造とし、その他方を白基準である白色部材として原稿台ガラスに接触させる構造とする。
【００７５】
さらに、飛散した異物を原稿の先端面で確実に掻き出すために、シム材である白色部材自身を、振動体としてだけでなく、位置制御と原稿搬送ガイドを行う部材とする。具体的に、白色部材と原稿ガラスとの間隔を可変させるようにきめ細かく制御し、白色部材の原稿への押力、および原稿の原稿台ガラスへの進入角度を可変させるように制御することで、飛散した異物を確実に掻き出して除去することが可能となる。また、原稿の搬送を滑らかにすることができる。
【００７６】
このように、本実施形態の画像読取装置によれば、実際の読み取り面に付着したゴミを容易に除去することができる。また、光路上の読み取り位置に配置された白基準の白色部材自体を振動させ、接触している原稿台ガラスのプラテンニップ部も振動させることで、ゴミが読み取り面に入り込んだ場合でも、プラテンニップ部の振動をゴミ、塵埃などの異物に伝えることができる。これにより、プラテンニップ部のゴミを飛散させることができる。さらに、原稿の先端で異物を確実に掻き出すことで、ゴミ、塵埃などの異物を読み取ってしまい、読取画像に異物が線として現れることを防止することができる。
【００７７】
また、ニップ部を形成する白色部材および原稿台ガラスの双方を振動させるので、これら双方の異物を除去することができる。また、原稿台ガラスに搬送される原稿と次の原稿との合間に振動体を振動させるので、原稿の読み取り生産性を低下させることなく、異物の除去が可能となる。
【００７８】
また、異物があると判別された場合に限って、振動体を振動させてもよく、この場合、不必要に振動体を振動させないで済む。また、ガイド部材として機能する白色部材を振動体とするので、別の部材として設けることなく、省スペースが図られ、部品点数の増加を抑えることができる。
【００７９】
また、原稿台ガラスを押圧するガイド部材の一部としてシム材を用いるので、原稿台ガラスの表面を傷つけることなく振動させることができる。また、光触媒作用により、原稿台ガラス上の有機物系の汚れを除去する、あるいはその付着力を低減させることができる。
【００８０】
また、光源からの照射により光触媒作用を促進し、より一層、有機物の汚れを分解して除去する、あるいはその付着力を低減させることができる。
【００８１】
なお、本発明は、上記実施形態の構成に限られるものではなく、特許請求の範囲で示した機能、または本実施形態の構成が持つ機能が達成できる構成であればどのようなものであっても適用可能である。
【００８２】
例えば、上記実施形態では、画像読取装置は、図９に示すように、原稿の後端が第２基準点を通過すると、ステップＳ９Ａで、すぐさまゴミ、塵埃などの異物の有無を検知していたが、その前にステップＳ９の動作を行うようにしてもよい。すなわち、画像読取装置は、ステップＳ９で、原稿１０１がプラテンニップ部から抜けた後、シム材５１６と圧電セラミック５０３の間にプラス（＋）とマイナス（−）の電圧を交互に印加し、その後、ステップＳ９Ａの動作を行うようにしてもよい。
【００８３】
また、上記実施形態では、原稿の画像を透過する透明部材は、画像読取部の長手方向（副走査方向）の全面に亘って設けられた１枚の透明部材（原稿台ガラス）であったが、画像読取部の長手方向に分割された原稿搬送用の透明部材（ガラス）であってもよい。
【００８４】
また、上記実施形態では、自動原稿搬送装置の、ガイド部材を兼ねる白色部材に振動体が設けられていたが、本発明は、自動原稿搬送装置を用いない画像読取装置に適用することも可能である。この場合、原稿台ガラスに原稿を押さえる圧板（ガイド部材）に振動体が設けられる。また、この振動体は、白色部材として機能するようにしてもよい。
【００８５】
また、本発明は、画像読取装置として、スキャナ装置の他、印刷機能を有するファクシミリ装置や、印刷機能、コピー機能、スキャナ機能等を有する複合機（ＭＦＰ）に適用可能である。
【００８６】
また、上記実施形態に記載されている構成部品の形状、それらの相対配置などは、本発明が適用される装置の構成や各種条件により適宜変更されるべきものであり、本発明の範囲は上記例示するもののみに限定されものではない。
【００８７】
また、原稿としては、紙媒体、ＯＨＰシート、厚紙用紙、タブ紙など、特に限定されない。また、原稿のマテリアル（材質）としては、紙媒体、ＯＨＰシート、厚紙用紙など、特に限定されない。また、原稿の形状はタブ紙など特に限定されない。
【符号の説明】
【００８８】
５０  画像読取装置
６０  原稿搬送装置
７０  画像読取部
１０１  原稿
１０２  読み取りデバイス
１０３  白色部材
１０４  原稿搬送部
４０５  搬送ローラ
４０７  原稿台ガラス
４１２  読み取り位置
４１３  原稿サイズ検知部
５０３  圧電セラミック
５１６  金属シム材
５２１  白色基準部
【図１】
2011066616.tif 000003
【図２】
2011066616.tif 000004
【図３】
2011066616.tif 000005
【図４】
2011066616.tif 000006
【図５】
2011066616.tif 000007
【図６】
2011066616.tif 000008
【図７】
2011066616.tif 000009
【図８】
2011066616.tif 000010
【図９】
2011066616.tif 000011